(57)【要約】【課題】情報分配ネットワークを改善するシステムは、情報分配ネットワークを介して情報分配サービスを提供するように、構成される情報サービスを含む。【解決手段】ユーザデバイスは、デバイスユーザによって利用されて、情報分配サービスを受信するために、情報サービスと通信する。トランスポートストラクチャは、情報分配ネットワークにおける様々なネットワーク構成要素と通信をするために実施される。トランスポートストラクチャは、選択された情報を情報サービスからデバイスユーザの内の対象化されたユーザに提供するために適切なメタデータを収集する。トランスポートストラクチャ内のメタデータは、動的に更新可能であり、正確に、情報分配ネットワークにおけるネットワーク要素を表現する。【選択図】図１
2010244540.tif 000002
【特許請求の範囲】
【請求項１】
情報分配ネットワークを実施するシステムであって、
前記情報分配ネットワークを介して、情報分配サービスを提供するように構成される情報サービスと、
前記情報分配サービスを受信するためにデバイスユーザが前記情報サービスと通信するのに利用するユーザデバイスと、
前記情報分配ネットワーク内のネットワーク構成要素と通信するトランスポートストラクチャとを備え、前記トランスポートストラクチャは、前記情報サービスから前記デバイスユーザ内の対象となるユーザへ、選択された情報を提供するためのメタデータを収集しており、前記メタデータは、情報分配ネットワークにおけるネットワーク要素を正確に表現するように動的に交信可能である、
ことを特徴とするシステム。
【請求項２】
前記メタデータは、前記デバイスユーザに関するユーザメタデータ、前記ユーザデバイスに関するデバイスメタデータ、及び、前記選択された情報に関係する広告主に関する広告主メタデータを含むことを特徴とする請求項１に記載のシステム。
【請求項３】
一又はそれより多い第三者をさらに含み、
前記第三者は、前記デバイスユーザ内の前記対象となったユーザに対して、第三者情報を識別し、提供するための第三者メタデータを挿入するための第三者メタデータを挿入するように、前記トランスポートストラクチャにアクセスする、
ことを特徴とする請求項２に記載のシステム。
【請求項４】
前記トランスポートストラクチャは、広告情報及び電子コンテンツを含む前記選択された情報を包含するメディアファイルへのメディアリンクを備えることを特徴とする請求項１に記載のシステム。
【請求項５】
前記トランスポートストラクチャは、前記選択された情報の前記ユーザデバイスへの転送の各々に対応する転送情報を用いて更新される利用メタデータを含むことを特徴とする請求項１に記載のシステム。
【請求項６】
前記トランスポートストラクチャは、前記メタデータを収集するように、前記情報分配ネットワークを介して移動し、前記トランスポートストラクチャは又、前記デバイスユーザの内の前記対象となったユーザに前記選択された情報に対するメディアリンクを提供しており、前記ユーザメタデータは、前記デバイスユーザの個人の名前、性別、年齢、宗教、趣味、興味、職業、結婚状況、住居、収入、インターネットの閲覧履歴及びクレジットカードの取引記録に関する情報を含むことを特徴とする請求項２に記載のシステム。
【請求項７】
前記情報サービスは、前記メタデータにおいて提供される特定の特性を参照して前記デバイスユーザに関連する前記選択された情報のみを自動的に選択して送信するために、プッシュ技術を利用するものであり、前記選択された情報は、前記選択された情報、前記広告主のメタデータ及び前記第三者メタデータの特徴を前記ユーザメタデータ及び前記デバイスメタデータからの特定の特徴にマッチングすることによって、前記デバイスユーザへ対象化されることを特徴とする請求項１に記載のシステム。
【請求項８】
前記トランスポートストラクチャは、ユーザメタデータ、デバイスメタデータ、ネットワークメタデータ、広告主メタデータ、コンテンツ提供者メタデータ、第三者メタデータ、使用法メタデータ、及び、前記選択された情報へのメディアリンクを含むことを特徴とする請求項１に記載のシステム。
【請求項９】
前記デバイスユーザは、前記情報分配サービスに参加するように前記情報サービスを用いて登録手順を実行しており、前記デバイスユーザは、前記登録手順の実行中に前記情報サービスへユーザメタデータを提供することを特徴とする請求項１に記載のシステム。
【請求項１０】
前記選択された情報は、前記情報サービスの広告サーバによって、集合されて、前記ユーザデバイスに提供されることを特徴とする請求項１に記載のシステム。
【請求項１１】
情報分配手順を支援するためのユーザデバイスであって、
情報分配ネットワークを介して情報分配サービスを受信するように情報サービスと通信するために前記ユーザデバイスが利用するデバイスアプリケーションと、
前記情報分配ネットワークにおけるネットワーク要素と通信するトランスポートストラクチャとを備え、前記トランスポートストラクチャは、前記情報サービスから前記デバイスユーザへ選択された情報を対象化するためのメタデータを収集しており、前記メタデータは、前記情報分配ネットワーク内のネットワーク要素を正確に表現するように動的に更新可能である、
ことを特徴とするユーザデバイス。
【請求項１２】
前記メタデータは、前記デバイスユーザに関するユーザメタデータ、前記ユーザデバイスに関するデバイスメタデータ、及び、前記選択された情報に関係する広告主に関する広告主メタデータを含むことを特徴とする請求項１１に記載のユーザデバイス。
【請求項１３】
前記情報分配ネットワークにおける一又はそれより多い第三者が、第三者情報を識別し、前記デバイスユーザに提供するための第三者メタデータを挿入するように前記トランスポートストラクチャにアクセスすることを特徴とする請求項１２に記載のユーザデバイス。
【請求項１４】
前記トランスポートストラクチャは、前記選択された情報を包含するメディアファイルへのメディアリンクを含み、前記メディアファイルにおける前記選択された情報は、広告情報及び電子コンテンツを含むことを特徴とする請求項１１に記載のユーザデバイス。
【請求項１５】
前記トランスポートストラクチャは、前記ユーザデバイスへの前記選択された情報の転送の各々に対応する転送情報によって更新される利用メタデータを含むことを特徴とする請求項１１に記載のユーザデバイス。
【発明の詳細な説明】
【技術分野】
【０００１】
本発明は、概して、電子情報を分配する技術に関し、特に、電子ネットワークにおけるトランスポートストラクチャを動的に更新するためのシステム及び方法に関する。
【背景技術】
【０００２】
電子情報を分配する効果的な方法を実施することは、最近の電子システムの設計者及び製造者にとって、重大な関心事である。しかしながら、電子デバイスによって、効果的に電子情報を分配することは、システムの設計者に重大な課題を与えることになる。例えば、システムの機能及び性能の向上に対するより大きな要求によって、より高いシステムの処理能力及び追加のソフトウェア資源が必要になる。また、処理能力若しくはソフトウェアに対する要求が大きくなることによって、生産費用が増加し、操作が非効率になるので、相応の有害な経済的影響をもたらす結果になる。
【０００３】
さらに、様々な進歩した分配動作を実行することが可能である向上したシステムは、付加的な利益をデバイスユーザに提供することができるが、様々なシステムの構成要素を制御及び管理するための要求水準を高めるものとなる。例えば、膨大で複雑なデジタルデータが含まれるので、効果的に電子広告情報を管理する電子システムは、効果的な実施によって、恩恵を受けることができる。
【発明の概要】
【発明が解決しようとする課題】
【０００４】
システムの資源に対する要求が増加し、データ量が大幅に増加したため、電子情報を電子デバイスに分配する新技術を開発することは、関連する電子技術における関心事であることは明らかである。従って、上述の全ての理由のために、近年の電子システムの設計者、製造者及びユーザにとっては、電子情報を分配する効果的な技術を開発することが、重要な考慮すべき事項である。
【課題を解決するための手段】
【０００５】
本発明によれば、電子ネットワークにおいて、トランスポートストラクチャ(transport structure)を動的に更新するためのシステム及び方法が開示される。本発明の一実施形態によると、分配システムは、対応するユーザデバイスのデバイスユーザが、利用するために、自動的に様々な種類の適切な情報を提供する。例えば、分配される情報は、これに制限されるものではないが、特定のデバイスユーザに対象を絞った商業広告情報を含む。消費者が所望の広告情報に積極的にアクセスすることが必要な“プル”モデルを支援する従来の広告技術と異なり、前述の分配システムは、デバイスユーザ及び様々な広告主の両方を定義する対応のメタデータファイルに基づいて、対象となるデバイスユーザに適切な広告情報を自動的に選択し、送信する“プッシュ”モデルを支援する。
【０００６】
一実施形態においては、分配システムは、分配システムの適切な構成要素に、及び、分配システムの適切な構成要素から、様々な種類の関連情報を自動的に送信する一又はそれ以上のトランスポートストラクチャを支援及び利用することができる。例えば、トランスポートストラクチャを利用して、様々なデバイスユーザ、ユーザデバイス、電子ネットワーク、第三者、及び、様々な広告主な関連するメタデータを、情報サービスから集めて、転送する。さらに、トランスポートストラクチャを利用して、対象になる広告へのリンク及び／又は電子コンテンツを適切なユーザデバイスに提供する。
【０００７】
ある実施形態において、一又はそれ以上のトランスポートストラクチャが、効果的な方法で最初に生成される。例えば、トランスポートストラクチャは、製造中にユーザデバイスに組み入れられ、次いで、デバイスユーザによって、起動される。代替として、分配システムにおける適切な構成要素が、最初のトランスポートストラクチャを生成するか、若しくは、そうでない場合には、最初のトランスポートストラクチャを提供する。一又はそれ以上の広告主からの広告主メタデータは、いずれかの効果的な方法でトランスポートストラクチャに追加され、対応する広告主の関連特性及び広告の対象(goal)を表すことができる。
【０００８】
さらに、適切なメディアファイルが生成され、該メディアファイルは、分配システムを介して対象になったユーザに宣伝をするための情報を含むことができる。メディアファイルは、広告及び／又はコンテンツ項目といったいずれかの所望の情報を含んでもよい。次に、一又はそれ以上のデバイスユーザは、登録手順を実行して、分配システムから情報を受信するための承認を得る(subscribe)。登録手順中に、デバイスユーザは、これに制限されるものではないが、ユーザのメタデータ及びデバイスのメタデータを含む様々な種類の関連情報を、典型的には、提供する。トランスポートストラクチャは更新され、前述の登録手順中にデバイスユーザによって、提供されるメタデータを含む。
【０００９】
ある実施形態においては、一又はそれ以上の第三者が、第三者登録手順を実行し、分配システムから分配サービスを受信することができる。第三者登録手順は、サービスが分配システムから実際に要求される前若しくは要求されるときのいずれかの時間において、実行されるようにすることができる。一又はそれ以上の第三者は、分配システムからサービスを要求した場合には、次いで、トランスポートストラクチャが更新されて、特定のタスク若しくは機能に対する第三者の要求を含む関連する第三者のメタデータを含む。
【００１０】
ある実施形態においては、分配システムにおける広告サーバ若しくは別の適切な構成要素は、いずれかの適切な技術を利用するトランスポートストラクチャを分析し、一又はそれ以上の受信されるメディアファイルの対象になるデバイスユーザを識別する。分配システムにおける、広告サーバ、若しくは、別の適切な構成要素は、次いで、指定されたメディアファイルに対するリンクを準備して、対象のデバイスユーザのユーザデバイスに送信する。最終的に、トランスポートストラクチャに格納される使用(usage)メタデータは、更新され、メディアファイルの前述の送信に関連するいずれかの関連情報を対象のデバイスユーザのユーザデバイスに反映する。
【００１１】
本発明は、いずれかの所望な若しくは適切な時間において、トランスポートストラクチャのいずれかのコンテンツのメタデータを継続的で動的に更新することを実行することができる。同様に、トランスポートストラクチャの特定のメタデータの範疇／領域は、編集された、様々なメタデータにおける代替物を収容することができる。従って、少なくとも上述の理由によって、本発明は、電子ネットワークにおけるトランスポートストラクチャを動的に更新するための向上したシステム及び方法を提供する。
【図面の簡単な説明】
【００１２】
【図１】本発明の一実施形態による分配システムのブロック図である。
【図２Ａ】本発明によるトランスポートストラクチャの一実施形態のブロック図である。
【図２Ｂ】本発明によるメディアファイルの一実施形態のブロック図である。
【図３】本発明による図１におけるユーザデバイスの一実施形態のブロック図である。
【図４】本発明による図３におけるユーザメモリの一実施形態のブロック図である。
【図５】本発明による図１における情報サービスの一実施形態のブロック図である。
【図６】本発明による図５における転送サーバの一実施形態のブロック図である。
【図７】本発明による図５における広告サーバの一実施形態のブロック図である。
【図８】本発明の一実施形態による通信経路のブロック図である。
【図９Ａ】本発明の一実施形態による情報分配手順を実行するための方法におけるステップを示すフローチャートを示す。
【図９Ｂ】本発明の一実施形態による情報分配手順を実行するための方法におけるステップを示すフローチャートを示す。
【発明を実施するための形態】
【００１３】
本発明は、電子データ分配技術の改良に関する。以下の記載は、本発明の技術分野における当業者が発明を実施し、利用できるようにするために提示されるものであり、特許出願及びその要件の範囲で提供されるものである。開示された実施形態に対する様々な変更形態は、本発明の技術分野における当業者にとって、明らかであり、本明細書に記載された一般的な原理は、別の実施形態に適用できるであろう。従って、本発明は、記載された実施形態に制限されることは意図されておらず、本明細書に記載された原理及び特徴に従う最も幅広い範囲に合致する。
【００１４】
本発明は、情報分配ネットワークを実施するためのシステムを備え、情報分配ネットワークを介して、情報分配サービスを提供するように構成される情報サービスを含む。ユーザデバイスは、デバイスユーザによって利用され、情報分配サービスを受信するために情報サービスと通信する。トランスポートストラクチャは、情報分配ネットワークにおける様々なネットワーク要素と通信するために、実装される。トランスポートストラクチャは、情報サービスからの選択された情報をデバイスユーザの内の対象になるユーザに提供するための適切なメタデータを統合する。トランスポートストラクチャにおけるメタデータは、情報分配ネットワークにおけるネットワーク構成要素を正確に表現するように動的に更新可能である。
【００１５】
図１によると、本発明の一実施形態における、分配システム１１０のブロック図が示される。図１の実施形態においては、分配システム１１０は、これに制限されるものではないが、一又はそれ以上のユーザデバイス１２２、情報サービス１１８、及び、ネットワーク１２６を含んでもよい。別の実施形態においては、分配システム１１０は、図１の実施形態に関して議論された特定の要素及び形態に加えて、若しくは、その代わりとして、構成要素及び形態を利用することにより実施してもよい。
【００１６】
本発明によると、分配システム１１０は、様々な種類の適切な情報を、対応するユーザデバイス１２２のデバイスユーザが利用できるように、自動的に提供する分配手段を有利に支援する。例えば、分配された情報は、これに制限されるものではないが、ユーザデバイス１２２の適切なデバイスユーザに具体的に対象を絞った商業広告情報を含んでもよい。消費者が積極的に所望の広告情報にアクセスすることを必要とする“プル”モデルを支援する従来の広告技術と異なり、図１の分配システム１１０は、デバイスユーザ及び様々な広告主を定義する対応のメタデータファイルに基づいて、適切な広告情報を自動的に選択し、対象となるデバイスユーザに送信する“プッシュ”モデルを支援し、また、潜在的な第三者に表示することができる。
【００１７】
図１の実施形態においては、分配システム１１０は、金銭的な配分若しくは別の保証において、分配サービスを広告主、第三者及びデバイスユーザに提供する分配制御要素によって、実施されて、支援されるようにすることができる。分配制御要素は、情報サービス１１８といった分配システム１１０の鍵となる要素を維持して、制御する商業企業であってもよい。
【００１８】
本発明によると、分配システム１１０は、様々な種類の関連情報を分配システム１１０内の適切な要素に、及び、適切な要素から、自動的に通信(transport)する一又はそれ以上のトランスポートストラクチャ（図２Ａを参照）を有利に支援し、利用することができる。例えば、トランスポートストラクチャを利用して、情報サービス１１８から様々なデバイスユーザ、ユーザデバイス１２２、電子ネットワーク１２６、及び様々な広告主に関連するメタデータを、情報サービスから集めて、転送する。さらに、トランスポートストラクチャを利用して、対象の広告主に対するリンク、及び／又は、適切なユーザデバイス１２２に対する電子コンテンツを運送するか、提供する。
【００１９】
ある実施形態においては、適切な構成要素は、いつでもトランスポートストラクチャにおける対応するメタデータを動的に更新することができる。本発明は、従って、トランスポートストラクチャを動的に更新し、分配手順を実行するための改良したシステム及び方法であることが理解できる。さらに、図１の分配システム１１０におけるトランスポートストラクチャの実施及び利用に関する追加的な詳細は、図２Ａ−９Ｂと共に以下でさらに説明される。
【００２０】
図２Ａは、本発明による、トランスポートストラクチャ２１０の一実施形態のブロック図を示す。図２Ａの実施形態は、説明の目的で示され、代替の実施形態においては、トランスポートストラクチャ２１０は、図２Ａの実施形態と共に説明される特定の構成要素及び形態に加えて、若しくは、これに代わる構成要素及び形態を利用することによって、実施されるようにしてもよい。
【００２１】
図２Ａの実施形態においては、メタデータの範疇／領域は、一又はそれ以上のデバイスからの情報、若しくは、それぞれの対応するメタデータの資源の種類からの構成要素を含む。例えば、ユーザメタデータ２２２は、ユーザデバイス１２２（図１）の一又はそれ以上のデバイスユーザに関する情報を含んでもよい。ある実施形態においては、ユーザメタデータ２２２は、一又はそれ以上の適切なユーザプロフィール４３０（図４）から選択的に編集されるようにすることができる。同様に、デバイスのメタデータ２２６は、一又はそれ以上のユーザデバイス１２２に関する情報を含んでもよい。ある実施形態においては、デバイスメタデータ２２６は、一又はそれ以上の適切なデバイスのプロフィール４３４（図４）から選択的に編集される。図２Ａの実施形態においては、ネットワークメタデータ２３０は、電子ネットワーク１２６（図１）の様々な属性若しくは構成要素に関する情報を含んでもよい。
【００２２】
図２Ａの実施形態において、広告主のメタデータ２３４は、分配システム１１０に関係する一又はそれ以上の広告主に関する情報を含んでもよい。ある実施形態において、広告主は、広告資源５４０（図５）に関連してもよい。同様に、コンテンツ描画メタデータ２３８は、分配システム１１０に関係する一又はそれ以上のコンテンツ描画に関連する情報を含んでもよい。ある実施形態においては、コンテンツ提供者(renderer)は、コンテンツ資源５４２（図５）に関係してもよい。
【００２３】
図２Ａの実施形態において、第三者メタデータ２４０は、分配システム１１０に関係する一又はそれ以上の第三者に関連する情報を含んでもよい。第三者の利用法については、図８及び９と共に以下でさらに議論される。雑多な情報９４２は、追加的な情報若しくは別の適切な情報を含んでもよい。メディアリンク２４６は、図２Ｂと共に以下で議論されるように、位置、若しくは、一又はそれ以上のメディアファイルにアクセスするための接続手段を示す適切な情報を含む。
【００２４】
分配システム１１０における様々な構成要素は、いずれかの適切な方法で、トランスポートストラクチャ２１０における情報を利用することができる。例えば、広告対象化手順は、ユーザメタデータ９２２、デバイスメタデータ９２６、広告メタデータ９３４及び第三者メタデータ２４０の互換性ある構成要素を照合することによって実行され、そのことによって、対象のデバイスユーザに自動的に通信するための適切な種類の関連広告情報を識別する。
【００２５】
トランスポートストラクチャ２１０は、効果的な方法で、いずれかの効果的な資源から生成される。例えば、トランスポートストラクチャ２１０は、ユーザデバイス１２２（図１）に組み入れられ、所望する場合には、デバイスユーザによって、起動されるようにすることができる。代替として、ネットワーク１２６における様々な構成要素若しくは情報サービス１１８は、トランスポートストラクチャ２１０を生成するか、起動してもよい。例えば、運送（transport）サーバ（図６を参照）は、トランスポートストラクチャ２１０の生成及び操作を管理することができる。図２Ａのトランスポートストラクチャ２１０の実施及び利用に関する追加的な詳細は、図２Ｂ−９Ｂを参照しながら以下で説明される。
【００２６】
図２Ｂは、本発明によるメディアファイル２５０の一実施形態のブロック図を示す。図２Ｂの実施形態は、説明の目的で示され、別の実施形態においては、メディアファイル２５０は、図２Ｂの実施形態と共に説明される特定の構成要素及び形態に加えて、若しくは、これに代わる構成要素及び形態を利用することによって、実施されるようにしてもよい。例えば、図２Ｂのメディアファイル２５０は、図２Ａのメディアリンク２４６を利用することによって実行可能な分離した構成要素として示される。しかしながら、別の実施形態においては、メディアファイル２５０は、図２Ａのトランスポートストラクチャ２１０の一体となった一部として実施されてもよい。
【００２７】
図２Ｂの実施形態においては、広告２５４は、ユーザのデバイス１２２（図１）の内の適切なデバイスに通信するために選択されたいずれかの適切な種類の対象にされる広告の情報を含んでもよい。同様に、コンテンツの項目２５８は、ユーザのデバイス１２２の内の適切なデバイスに通信するために選択された適切な種類の電子コンテンツ情報を含んでもよい。例えば、コンテンツ２５８は、これに制限されるものではないが、動画データ、音響データ、画像、テキスト、映画、音楽記録及びコンピュータプログラムを含んでもよい。適切なメディアファイル２５０を対象のデバイスユーザに提供するための別の情報は、図３−９Ｂを参照して以下で更に説明される。
【００２８】
図３に、本発明による図１のユーザデバイス１２２の一実施形態のブロック図を示す。図３の実施形態において、ユーザデバイス１２２は、これに制限されるものではないが、中央処理装置（ＣＰＵ）３１４、メモリ３１８、ディスプレイ３３８及び一又はそれ以上の入力／出力インターフェース（Ｉ／Ｏインターフェース）３４０。図３の実施形態は、説明の目的で示され、代替の実施形態においては、ユーザデバイス１２２は、図３の実施形態と共に説明される特定の構成要素及び形態に加えて、若しくは、これに代わる構成要素及び形態を利用することによって、実施されるようにしてもよい。さらに、ユーザデバイス１２２は、これに制限されるものではないが、デスクトップコンピュータ、個人携帯端末、携帯電話セットトップボックス、若しくは、ラップトップコンピュータを含む携帯型若しくは非携帯型電子デバイスのいずれかの種類として実施されるようにすることができる。
【００２９】
図３の実施形態においては、ＣＰＵ３１４は、好ましくは、ソフトウェア命令を実行する適切で互換性あるマイクロプロセッサを含み、それによって、ユーザデバイス１２２の動作を制御し、管理するものとして実施することができる。図３のディスプレイ３３８は、様々な情報をデバイスユーザに表示する適切なスクリーンを有するブラウン管モニタ若しくは液晶ディスプレイデバイスを含むいずれかの効果的な種類のディスプレイ技術を含んでもよい。図３の実施形態においては、Ｉ／Ｏインターフェース３４０は、一若しくはそれ以上の入力及び／又は出力インターフェースを含み、ユーザデバイス１２２に関するいずれかの要求された種類の情報を受信及び／又は送信するものとすることができる。図３の実施形態においては、メモリ３１８は、これに制限されるものではないが、リードオンリーメモリ（ＲＯＭ）、ランダムアクセスメモリ（ＲＡＭ）及びフロッピー（登録商標）ディスク、メモリスティック、コンパクトディスク若しくはハードディスクといった様々な種類の不揮発性メモリを含む所望の格納デバイスのいずれかを組み合わせることによって、実施してもよい。ユーザデバイス１２２の利用に関する追加的な詳細は、図４−９Ｂを参照して以下で更に説明される。
【００３０】
図４は、本発明による図３におけるユーザメモリ３１８の一実施形態のブロック図である。別の実施形態においては、ユーザメモリ３１８は、図４の実施形態と共に説明される特定の構成要素及び形態に加えて、若しくは、これに代わる構成要素及び形態を利用することによって、実施されるようにしてもよい。
【００３１】
図４の実施形態においては、デバイスアプリケーション４２２は、好ましくは、ＣＰＵ３１４によって実行されるソフトウェア命令を含み、ユーザデバイス１２２の様々な機能及び動作を実行することができる。デバイスアプリケーション４２２の特定の性質及び機能は、典型的には、対応するユーザデバイス１２２の特定の種類及び特定の機能といった要因に応じて変化する。図４の実施形態においては、ユーザデバイス１２２は、データモジュール４２６を利用して、ユーザデバイス１２２、若しくは、ユーザデバイス１２２のデバイスユーザに関連するいずれかの所望の特性若しくは性質を、統合的に記述するユーザプロフィール４３０及びデバイスプロフィール４３４を管理する。例えば、ユーザプロフィール４３０は、これに制限されるものではないが、デバイスユーザの名前、性別、年齢、宗教、趣味、興味、職業、婚姻状態、住居、収入、インターネットの閲覧履歴、地理的位置及びクレジットカードの取引記録に関する情報を含んでもよい。同様に、デバイスプロフィール４３４は、これに制限されるものではないが、デバイスの種類、デバイスの製造者、支援デバイスの機能及びデバイスの設定を含んでもよい。
【００３２】
図４の実施形態においては、接続ポート４３８は、いずれかの適切な種類のインターフェース手段を含み、一又はそれ以上のトランスポートストラクチャ２１０（図２）とユーザデバイス１２２との間の双方向通信を手助けする。図４の実施形態においては、広告４４２は、特にユーザデバイス１２２のデバイスユーザのために分配システム１１０（図１）を介して受信された対象化された広告情報を含んでもよい。同様に、コンテンツ４４６は、特にユーザデバイス１２２のデバイスユーザのために分配システム１１０（図１）を介して受信された対象にされた電子コンテンツ情報を含んでもよい。
【００３３】
図４の実施形態においては、ユーザデバイス１２２は、通信モジュール４５０を利用して、いずれかの適切な遠隔にある構成要素を用いて、双方向電子通信手順を実行する。図４の実施形態においては、雑多な情報４５４は、ユーザデバイス１２２によって、利用するためにいずれかの適切な追加的な情報を含む。例えば、ある実施形態においては、雑多な情報４５４は、一又はそれ以上のトランスポートストラクチャ２１０からダウンロードされた、分配システム１１０における別の構成要素に関する様々な種類のメタデータを含んでもよい。図４のユーザメモリ３１８の実施及び利用に関する追加的な詳細は、図５−９Ｂを参照して以下で更に説明される。
【００３４】
図５は、本発明による図１の情報サービス１１８の一実施形態のブロック図を示す。図５の実施形態において、情報サービス１１８は、これに制限されるものではないが、制御器５１４、通信サーバ５１８、広告サーバ５３８、一又はそれ以上の広告資源５４０及び一又はそれ以上のコンテンツ資源５４２を含む。図５の実施形態は、説明の目的で示され、代替の実施形態においては、情報サービス１１８は、図５の実施形態と共に説明される特定の構成要素及び形態に加えて、若しくは、これに代わる構成要素及び形態を利用することによって、実施されるようにしてもよい。
【００３５】
図５の実施形態においては、制御器５１４は、情報サービス１１８の動作機能を調整するためのいずれかの効果的な手段を含んで、実施されることができる。例えば、ある実施形態においては、制御器５１４は、情報サービス１１８の動作を管理する、対応するアプリケーションプログラムを伴うコンピュータデバイスとして実施されてもよい。代替として、制御器５１４は、ソフトウェア命令を実行するためにいずれかの適切で互換性あるマイクロプロセッサデバイスを含む中央処理装置として、実施され、それによって、情報サービス１１８の動作を制御して、管理することができる。
【００３６】
図５の実施形態において、通信サーバ５１８は、本発明による、一又はそれ以上のトランスポートストラクチャ２１０（図２）と通信し、制御するいずれかの効果的な手段を含んでもよい。通信サーバ５１８の実施及び利用に関する追加的な詳細は、図６を参照して以下で更に説明される。図５の実施形態においては、広告資源５４０は、分配システム１１０（図１）を介して宣伝するための広告情報を提供するための一又はそれ以上の適切な構成要素を含んでもよい。例えば、広告資源５４０は、様々な商業企業、特定の広告主、若しくは広告開発者を含んでもよい。
【００３７】
図５の実施形態においては、コンテンツ資源５４２は、分配システム１１０を介する広告のための電子コンテンツを提供する一又は、それ以上の適切な構成要素を含んでもよい。例えば、コンテンツ資源５４２は、様々な商業企業、特定の広告主、若しくは、コンテンツ製作者を含んでもよい。図５の実施形態においては、一又はそれ以上のトランスポートストラクチャ２１０（図２）からのメタデータを利用することによって、ユーザデバイス１２２（図１）の対象にされるデバイスユーザに提供するための適切な広告情報及び／又は電子コンテンツを識別し、統合するいずれかの効果的な手段を含んでもよい。広告サーバ５３８の一実施形態は、図７を参照して以下で更に説明される。情報サービス１１８の実施及び利用に関する追加的な詳細は、図６−９Ｂを参照して以下で更に説明される。
【００３８】
図６は、本発明による図５における運送サーバ５１８の一実施形態のブロック図を示す。図６の実施形態においては、運送サーバ５１８は、これに制限されるものではないが、中央処理装置（ＣＰＵ）６１４、メモリ６１８、ディスプレイ６３８及び一又はそれ以上の入力／出力インターフェース（Ｉ／Ｏインターフェース）６４０を含む。図６の実施形態においては、説明の目的で示され、代替の実施形態においては、運送サーバ５１８は、図６の実施形態と共に説明される特定の構成要素及び形態に加えて、若しくは、これに代わる構成要素及び形態を利用することによって、実施されるようにしてもよい。
【００３９】
図６の実施形態においては、ＣＰＵ６１４は、好ましくは、ソフトウェア命令を実行する適切で互換性あるマイクロプロセッサを含み、それによって、運送サーバ５１８の動作を制御し、管理するものとして実施することができる。図６のディスプレイ６３８は、様々な情報をデバイスユーザに表示する適切なスクリーンを有するブラウン管モニタ若しくは液晶ディスプレイデバイスを含むいずれかの効果的な種類のディスプレイ技術を含んでもよい。図６の実施形態においては、Ｉ／Ｏインターフェース６４０は、一又はそれ以上の入力及び／又は出力インターフェースを含み、ユーザデバイス１２２に関するいずれかの要求された種類の情報を受信及び／又は送信するものとすることができる。図６の実施形態においては、運送サーバメモリ６１８は、これに制限されるものではないが、リードオンリーメモリ（ＲＯＭ）、ランダムアクセスメモリ（ＲＡＭ）及びフロッピー（登録商標）ディスク、メモリスティック、コンパクトディスク若しくはハードディスクといった様々な種類の不揮発性メモリを含む所望の格納デバイスのいずれかを組み合わせることによって、実施してもよい。
【００４０】
図６Ｂの実施形態においては、通信サーバメモリ６１８は、これに制限されるものではないが、以下に開示される多くのソフトウェアプログラム及びデータを含んでもよい。例えば、運送サーバメモリ６１８は、好ましくは、ＣＰＵ６１４によって実行されるプログラム命令のサーバアプリケーションを含み、通信サーバ５１８の様々な機能及び動作を実行することができる。サーバアプリケーションの特定の性質及び機能は、対応する通信サーバ５１８の特定の種類及び特定の機能といった要因に応じて、典型的には、変化する。
【００４１】
本発明に合致して、通信サーバ５１８は、ＴＳマネージャを利用して、一又はそれ以上のトランスポートストラクチャ２１０（図２）の様々な機能を管理し、調整する。ある実施形態においては、ＴＳマネージャは、分配システム１１０（図１）からの様々な承認された分配サービスを利用するためのユーザデバイス１２２のデバイスユーザを登録する登録手順を調整するための登録モジュールを含んでもよい。ＴＳデータベースは、分配サービスを、分配システム１１０の様々な構成要素に提供するトランスポートストラクチャ２１０に関するいずれかの適切な情報を含んでもよい。
【００４２】
ある実施形態においては、ＴＳマネージャーは、ＴＳデータベースにおける各々のトランスポートストラクチャ情報を継続的に更新して、分配システム１１０内にあるトランスポートストラクチャ２１０の現在の状態を反映することができる。通信サーバ５１８は、通信モジュールを利用して、いずれかの適切な遠隔的要素と双方向電子通信手順を実行する。例えば、通信モジュールを利用して、分配システム１１０におけるトランスポートストラクチャ２１０と遠隔的に通信できる。
【００４３】
図７は、本発明による図５の広告サーバ５３８の一実施形態のブロック図である。図７の実施形態において、広告サーバ５３８は、これに制限されるものではないが、中央処理装置（ＣＰＵ）７１４、メモリ７１８、ディスプレイ７３８及び一又はそれ以上の入力／出力インターフェース（Ｉ／Ｏインターフェース）７４０を含む。図７の実施形態においては、説明の目的で示され、代替の実施形態においては、広告サーバ５３８は、図７の実施形態と共に説明される特定の構成要素及び形態に加えて、若しくは、これに代わる構成要素及び形態を利用することによって、実施されるようにしてもよい。
【００４４】
図７の実施形態において、ＣＰＵ７１４は、好ましくは、ソフトウェア命令を実行する適切で互換性あるマイクロプロセッサを含み、それによって、広告サーバ５３８の動作を制御し、管理するものとして実施することができる。図７のディスプレイ７３８は、様々な情報をデバイスユーザに表示する適切なスクリーンを有するブラウン管モニタ若しくは液晶ディスプレイデバイスを含むいずれかの効果的な種類のディスプレイ技術を含んでもよい。図７の実施形態においては、Ｉ／Ｏインターフェース７４０は、一又はそれ以上の入力及び／又は出力インターフェースを含み、広告サーバ５３８に関するいずれかの要求された種類の情報を受信及び／又は送信するものとすることができる。
【００４５】
図７の実施形態においては、メモリ７１８は、これに制限されるものではないが、リードオンリーメモリ（ＲＯＭ）、ランダムアクセスメモリ（ＲＡＭ）及びフロッピー（登録商標）ディスク、メモリスティック、コンパクトディスク若しくはハードディスクといった様々な種類の不揮発性メモリを含む所望の格納デバイスのいずれかを組み合わせることによって、実施してもよい。図７の実施形態において、メモリ７１８は、これに制限されるものではないが、サーバアプリケーション７２２、接続ポート７２６、広告７３０及びコンテンツ７３４を含んでもよい。
【００４６】
図７の実施形態においては、サーバアプリケーション７２２は、好ましくは、ＣＰＵ７１４によって実効されるプログラム命令を含み、広告サーバ５３８の様々な機能及び動作を実行することができる。サーバアプリケーションの特定の性質及び機能は、対応する通信サーバ５３８の特定の種類及び特定の機能といった要因に応じて、典型的には、変化する。ある実施形態においては、サーバアプリケーション７２２は、トランスポートストラクチャ２１０（図２Ａ）からのメタデータを分析して、ユーザデバイス１２２（図１）の対象化されたデバイスユーザとメディアファイル２５０（図２Ｂ）を照合する。
【００４７】
図７の実施形態においては、接続ポート７２６は、広告サーバ５３８を一又はそれ以上のトランスポートストラクチャ２１０（図２）と双方向通信させるためのいずれかの効果的なインターフェース手段を含み、広告７３０及び／又はコンテンツ７３４を転送する。図７の実施形態において、広告７３０は、広告資源５４０（図５）といったいずれかの適切な構成要素から広告サーバ５３８に提供される広告情報を含む。同様に、図７の実施形態において、コンテンツ７３４は、コンテンツ資源５４２（図５）といったいずれかの適切な構成要素から広告サーバ５３８に提供される電子コンテンツを含む。広告サーバ５３８の実施及び利用に関する追加的な詳細は、図８−９Ｂを参照して以下で更に説明される。
【００４８】
図８は、本発明の一実施形態による通信経路８１０のブロック図を示す。図８の実施形態は、説明の目的で示され、代替の実施形態においては、通信経路８１０は、図８の実施形態と共に説明される特定の構成要素及び形態に加えて、若しくは、これに代わる構成要素及び形態を利用することによって、実施されるようにしてもよい。
【００４９】
ある実施形態においては、図８の通信経路８１０は、いずれかの種類の情報分配システムの一部として実施されてもよい。例えば、通信経路８１０は、図１の分配システム１１０の一部として実施されてもよい。図８の実施形態においては、トランスポートストラクチャ２１０（ａ）及び２１０（ｂ）が、通信経路８１０に沿って移動する様子を示す。トランスポートストラクチャ２１０は、いずれかの方法で、いずれかの適切な構成要素まで、及び、いずれかの適切な構成要素から移動することができる。
【００５０】
図８の実施形態において、少なくとも一つのユーザデバイス１２２及び少なくとも一つの広告主８１４は、図２Ａを用いて議論されたように、対応するユーザメタデータ２２２及び広告主メタデータ２３４と共にトランスポートストラクチャ２１０を投入する。本発明の実施形態によると、第三者Ａ  ８２２（ａ）、第三者Ｂ  ８２２（ｂ）及び第三者Ｃ  ８２２（ｃ）は又、通信経路８１０を介して、通信する。
【００５１】
図８の実施形態において、第三者８２２は、いずれかの所望の構成要素若しくは機能を含んでもよい。例えば、第三者８２２は、地理的位置といった関連因子に基づいて、潜在的な消費者にメッセージを対象化するための情報サービス１１８（図１を参照）に加入する商業構成要素を含んでもよい。別の例として、第三者８２２は又、情報サービス１１８若しくは別の適切な資源から対象化された情報を受信することを希望する社会的ネットワーク基盤のクライアントを含んでもよい。
【００５２】
図８の実施形態においては、第三者８２２は、通信経路８１０に沿って、トランスポートストラクチャ２１０に有利にアクセスし、ユーザメタデータ２３４（図２Ａ）といった関連情報を評価する。図８の実施形態においては、第三者８２２は、次いで、第三者メタデータ２４０（図２Ａ）若しくは別の情報をトランスポートストラクチャ２１０に追加し、所望の題材が対象にされるデバイスユーザに提供されるようにすることができるか、若しくは、該所望の題材をデバイスユーザに提供されるように積極的に要求することができる。図８の実施形態においては、広告サーバ５３８は、次いで、トランスポートストラクチャ２１０内の様々な情報／メタデータを分析し、それによって、適切な対象化された情報を選択し、一又はそれ以上のユーザデバイス１２２に送信することができる。
【００５３】
本発明は、従って、広告主８１４及び第三者８２２が、特定のメディアファイル２５０（図２Ｂ）及び特定の基盤に独立の対象化されたゴールを確立し、一方で、また、広告ネットワークがメディアパラメータ外の基準に基づいて、配置目録（inventory）を確立できるようにする。トランスポートストラクチャ２１０は、従って、メディア及びメタデータの両方が動的に変動するものであり、独立に実行可能であるモジュール式及び拡張可能なファイル標準（若しくはラッパー、若しくはヘッダ）を提供する。
【００５４】
ある実施形態において、トランスポートストラクチャ２１０は、メディアが視聴される予定の時間若しくは利用可能な時間にメディアファイル２５０（図２Ｂ）にのみ、結合される。トランスポートストラクチャ２１０内のある領域は、年齢、郵便番号、及び、性別といったユーザ固有のものである。別の領域は、どの基盤及び形式で（例えば、ＰＳＮ、ＩＰＴＶ、モバイル、ＨＤ、ＳＤなど）、メディアが視聴可能かを記述する。更に別の領域は、第三者の開発者が利用可能であり、トランスポートストラクチャ２１０内に格納されるメタデータから利益若しくは知性を導出する新しいアプリケーションを記述する際に利用される。
【００５５】
トランスポートストラクチャ２１０の特定の領域及び特定のメタデータの両方は、メディアが視聴される前後の両方において、ネットワークを移動している間に、修正されるようにすることができる。視聴者／ユーザが、メディアを消耗するか、相互利用するか、若しくは、視聴するので、追加的な情報がトランスポートストラクチャ２１０に追加されるか、若しくは、上書きされ、それによって、よりリアルタイムな視点で、向上した価値をトランスポートストラクチャ２１０に提供することができる。トランスポートストラクチャ２１０におけるメタデータは、次いで、別のプラットフォームで同一の消費者に対する将来の対象化、若しくは、或いは、同一のプラットフォームに供給される新しい広告／メディアに対する将来の対象化のための広告ネットワーク若しくは別の適切な構成要素によって、読み取り可能にすることができる。
【００５６】
図９Ａ−９Ｂは、本発明の一実施形態による情報分配手順を実行するための方法におけるステップを示すフローチャートを示す。図９のフローチャートは、説明の目的で示され、代替の実施形態においては、本発明は、図９の実施形態と共に説明されるステップ及びシーケンスに加えて、若しくは、これに代わるステップ及びシーケンスを利用することによって、実施されるようにしてもよい。
【００５７】
図９Ａのステップ９１４において、一又はそれ以上のトランスポートストラクチャ２１０（図２Ａ）は、最初にいずれかの効果的な手段で生成される。例えば、トランスポートストラクチャ２１０は、製造中にユーザデバイス１２２に組み入れられて、次いで、デバイスユーザに起動されてもよい。代替として、分配システム１１０において適切な構成要素は、最初のトランスポートストラクチャ２１０を生成するか、若しくは、提供してもよい。ステップ９１８において、一又はそれ以上の広告主８１４からの広告主メタデータ２３４は、いずれかの所望の方法でトランスポートストラクチャ２１０に追加され、対応する広告主８１４の関連特性及び広告ゴールを表現することができる。
【００５８】
ステップ９２０において、適切なメディアファイル２５０が、生成され、分配システム１１０を介して、対象のデバイスユーザに広告するための情報を含むことができる。メディアファイル２５０は、広告２５４及び／又はコンテンツ項目２５８といったいずれかの所望の情報を含んでもよい。ステップ９２４において、一又はそれ以上のデバイスユーザは、登録手順を実行し、分配システム１１０から情報を受信する。登録手順の実行する間に、デバイスユーザは、これに制限されるものではないが、ユーザメタデータ２２２及びデバイスメタデータ２２６を含む関連情報を、典型的には、提供する。ステップ９２８において、トランスポートストラクチャ２１０は、更新されて、前述の登録手順の実行する間にデバイスユーザによって提供されるメタデータを含む。図９Ａのプロセスは、接続文字“Ａ”を介して図９Ｂのステップ９３２に進む。
【００５９】
ステップ９３２において、分配システム１１０におけるトランスポートストラクチャ２１０、若しくは、別の適切な構成要素は、いずれかの第三者８２２が第三者登録手順を実行して、分配システム１１０からサービスを受信したか否かを判断する。第三者登録手順は、サービスが実際に分配システム１１０から要求される前か若しくは要求されるときのいずれかのいつでも実行されるようにすることができる。ステップ９３６において、一又はそれ以上の第三者８２２が、分配システム１１０からのサービスを要求した場合には、次いで、トランスポートストラクチャ２１０は、更新されて、特定のタスク若しくは機能に対する第三者要求を含む関連の第三者メタデータを含む。
【００６０】
ステップ９４０において、分配システム１１０における広告サーバ５３８又は別の適切な要素は、いずれかの適切な技術を利用するトランスポートストラクチャ２１０を解析して、受信される一又はそれ以上の対応するメディアファイル２５０に対して、対象のデバイスユーザを識別する。ステップ９４４において、分配システム１１０における広告サーバ５３８又は別の適切な要素は、指定されたメディアファイル２５０に対するリンクを準備して、対象化されたデバイスユーザのユーザデバイス１２２に送信する。最終的にステップ９４８において、トランスポートストラクチャ２１０における利用法メタデータ２４８は、更新され、対象のデバイスユーザのユーザデバイス１２２に通信される前述のメディアファイル２５０に関連するいずれかの関連情報を反映する。
【００６１】
説明の目的のために、図９の実施形態は、分配処理における特定の時間にトランスポートストラクチャ２１０を更新することを説明する。例えば、広告主メタデータ２３４及びユーザメタデータ２２２は、最初にトランスポートストラクチャ２１０に挿入されるように記載され、第三者メタデータ２４０は、何らかの後の時点において、挿入されるように記載される。しかしながら、本発明は、いずれかの所望な若しくは適切な時間に、トランスポートストラクチャ２１０のコンテンツのいずれかの継続的な動的メタデータの更新を実行するいずれかのネットワーク構成要素を意図する。同様に、トランスポートストラクチャ２１０の特定のメタデータの範疇／領域は又、編集されて、様々なメタデータにおける代替のものを収容してもよい。従って、少なくとも前述の理由で、本発明は、電子ネットワークにおけるトランスポートストラクチャ２１０を動的に更新する改良したシステム及び方法を提供する。
【００６２】
ある実施形態を参照して、本発明を上記により説明した。本開示を考慮することによって、本技術分野における当業者にとって、別の実施形態が可能であることは、明らかであろう。例えば、本発明は、上述の実施形態において記載された構成及び技術以外の構成及び技術を利用することによって、直ちに実施されるであろう。さらに、本発明は、上述のシステム以外のシステムと共に効果的に用いられてもよい。従って、議論された実施形態及び議論された実施形態とは別の変更形態は、本発明に含まれることが意図されており、本発明は、添付の特許請求の範囲によってのみ制限される。
【符号の説明】
【００６３】
１１８：情報サービス
１２２：ユーザデバイス
１２６：ネットワーク
２１０：トランスポートストラクチャ
２２２：ユーザメタデータ
２２６：デバイスメタデータ
２３０：ネットワークメタデータ
２３４：広告主メタデータ
２３８：コンテンツ提供者メタデータ
２４０：第三者メタデータ
２４２：雑多なデータ
２４６：メディアリンク
２４８：利用法メタデータ
２５４：広告主
２５８：コンテンツ項目
３１４：ＣＰＵ
３１８：ユーザメモリ
３３８：ディスプレイ
３４０：入力／出力インターフェース
４２２：デバイスアプリケーション
４２６：データモジュール
４３０：ユーザプロフィール
４３４：デバイスプロフィール
４３８：接続ポート
４４２：広告
４４６：コンテンツ
４５０：通信モジュール
４５４：雑多な情報
５１４：制御器
５１８：トランスポートサーバ
５３８：広告サーバ
５４０：広告資源
５４２：コンテンツ資源
６１４：ＣＰＵ
６１８：トランスポートサーバメモリ
６３８：ディスプレイ
６４０：入力／出力インターフェース
７１４：ＣＰＵ
７１８：メモリ
７２２：サーバアプリケーション
７２６：接続ポート
７３０：広告
７３４：コンテンツ
７３８：ディスプレイ
７４０：入力／出力インターフェース
８１０：通信経路
８１４：広告主
８２２：第三者
【図１】
2010244540.tif 000003
【図２Ａ】
2010244540.tif 000004
【図２Ｂ】
2010244540.tif 000005
【図３】
2010244540.tif 000006
【図４】
2010244540.tif 000007
【図５】
2010244540.tif 000008
【図６】
2010244540.tif 000009
【図７】
2010244540.tif 000010
【図８】
2010244540.tif 000011
【図９Ａ】
2010244540.tif 000012
【図９Ｂ】
2010244540.tif 000013